(57)【特許請求の範囲】
【請求項１】
ブリードガスとして知られている、排気ガスの少なくとも一部（１４）をブリードオフし、前記ブリードガスを大気圧より低い圧力の膨張ガス（４２）になるように膨張させるように適合された、回収軸（４０）を中心に回転可能に取り付けられたタービン（３４）と、
冷熱源（４５）を使用して、前記膨張ガス（４２）を冷却ガス（４６）になるように冷却するように適合された第１の熱交換器（４４）と、
前記冷却ガス（４６）を大気圧まで圧縮するように適合された、前記回収軸（４０）を中心に回転可能に取り付けられた圧縮機（３６）と、
冷熱源（４５）を第１の熱交換器（４４）に送るように構成されたファン（３８）であって、回収軸（４０）に回転駆動されるファン（３８）と、
を備える、少なくとも１つのターボシャフトエンジン（１０）からの排気ガス（１６）からのエネルギ回収システム。
【請求項２】
第１の熱交換器（４４）に入る前に膨張ガス（４２）の予備冷却を実施するように適合された第２の熱交換器（５０）を備えることを特徴とする、請求項１に記載のエネルギ回収システム。
【請求項３】
第１の熱交換器（４４）に入る前に膨張ガス（４２）の予備冷却を実施するように適合された空気取入口（５１）を備えることを特徴とする、請求項１または２に記載のエネルギ回収システム。
【請求項４】
複数のターボシャフトエンジン（１０）から発生する排気ガス（１６）をブリードオフするために、タービン（３４）を複数の排気管（２２）に連結する複数のダクト（２４）を備えることを特徴とする、請求項１〜３のいずれか１項に記載のエネルギ回収システム。
【請求項５】
請求項１〜４のいずれか１項に記載のエネルギ回収システム（１２）を装備したターボシャフトエンジン。
【請求項６】
ガス発生器軸に回転駆動されるガス発生器をさらに備え、回収軸（４０）がガス発生器軸に連結されていることを特徴とする、請求項５に記載のターボシャフトエンジン。
【請求項７】
フリータービン軸を回転駆動するフリータービン（２０）をさらに備え、回収軸（４０）がフリータービン軸に連結されていることを特徴とする、請求項５または６に記載のターボシャフトエンジン。
【請求項８】
請求項５〜７のいずれか１項に記載のターボシャフトエンジン（１０）を備えるヘリコプタ。
【請求項９】
後軸（６２）に駆動されるテールロータ（６４）をさらに備え、回収軸（４０）が前記後軸（６２）に連結されていることを特徴とする、請求項８に記載のヘリコプタ。
【発明の詳細な説明】
【技術分野】
【０００１】
本発明は、排気ガスからのエネルギ回収システムに関する。特に、本発明は、たとえばヘリコプタなど、航空機に取り付けられたターボシャフトエンジンからの排気ガスからのエネルギ回収システムに関する。
【背景技術】
【０００２】
ヘリコプタを含め、航空機は、一般に１つまたは複数のターボシャフトエンジンを装備し、その原理は、燃料が噴射されるガスの燃焼によってタービンを回転駆動することである。
【０００３】
タービンの出口では、排気ガスとして知られている、タービンを回転駆動した既燃ガスが、排気管を通って外部に排出される。ターボシャフトエンジンのサイクルは、約６００℃の排気ガス温度をもたらす。この排気ガスの流れに含まれる理論的熱エネルギは、タービン入口で噴射される燃料に含まれるポテンシャルエネルギの６０％と推定される。
【０００４】
したがって、ターボシャフトエンジンの効率を高めるために、この熱エネルギの一部の回収を試みることが有利である。これを行うため、具体的には、ターボシャフトエンジンの排気管に位置する熱交換器を使用して、熱エネルギの一部の回収を可能にするという解決方法が提案された。この回収された熱エネルギは、たとえば、ターボシャフトエンジンに供給されるガスを燃焼前に予熱すること、あるいは、航空機内に存在するタービンエンジンまたはピストン機械型の二次機械からのガスを再加熱することに使用される。
【０００５】
しかし、これらの解決方法は、多数の欠点をもたらす。これは、排気管に熱交換器が存在することで、タービンの動作に影響を及ぼす圧力損失がもたらされるからである。この熱交換器は、ターボシャフトエンジンの性能に影響を及ぼし、適切な洗浄手順を必要とするファウリングをもたらすおそれがあり、またブレード損失およびブレード脱落の場合には劣化をもたらすおそれもある。ブレード脱落は、ターボシャフトエンジンのフリータービンの過速度に対する機械的保護である。
【０００６】
加えて、このような熱交換器の使用には、この熱交換器と共に動作するためにターボシャフトエンジンを較正することが必要である。ガスタービンに燃料を供給するガスを予熱するための熱交換器を使用する状況では、熱交換器の存在は、熱交換器がない場合の動作点とは異なるエンジン動作点を必要とし、これは、熱交換器が使用されない場合に、エンジン性能が大きく影響されることを意味する。この熱交換器の不使用は、それが（熱交換器の故障により）偶発的な場合には、熱交換器の劣化およびエンジンの不動作をさらに引き起こすおそれがある。
【０００７】
最後に、排気管内の熱交換器の動作に対する制約（６００℃以上の高温、４〜８バールの圧力など）は、具体的には、そのサイズおよび重量の増加をもたらす熱交換器の適切なサイズ決定、およびこれらの制約に耐えることができる材料の使用を必要とする。しかし、制約に耐えるように適合されたこれらの材料の熱伝導性能は、一般に劣っており、それによって熱交換器の効率および有用性が低下する。
【発明の概要】
【発明が解決しようとする課題】
【０００８】
本発明の目的は、既知の排気ガスからのエネルギ回収システムの欠点の少なくともいくつかを克服することである。
【０００９】
具体的には、本発明はまた、本発明の少なくとも１つの実施形態において、ターボシャフトエンジンの動作に影響を及ぼす圧力損失をもたらさないエネルギ回収システムを提供することを目的とする。
【００１０】
本発明はまた、少なくとも１つの実施形態において、その故障がターボシャフトエンジンの動作に影響を及ぼさないエネルギ回収システムを提供することを目的とする。
【００１１】
本発明はまた、本発明の少なくとも１つの実施形態において、既存のターボシャフトエンジンに設置することができるエネルギ回収システムを提供することを目的とする。
【００１２】
本発明はまた、少なくとも１つの実施形態において、より優れた熱交換効率を有する材料で作られた熱交換器の使用を可能にするエネルギ回収システムを提供することを目的とする。
【課題を解決するための手段】
【００１３】
そのために、本発明は、
ブリードガスとして知られている、排気ガスの少なくとも一部をブリードオフし、前記ブリードガスを大気圧より低い圧力の膨張ガスになるように膨張させるように適合された、回収軸を中心に回転可能に取り付けられたタービンと、
冷熱源を使用して、前記膨張ガスを冷却ガスになるように冷却するように適合された第１の熱交換器と、
前記冷却ガスを大気圧まで圧縮するように適合された、前記回収軸を中心に回転可能に取り付けられた圧縮機と、
冷熱源を第１の熱交換器に送るように構成されたファンであって、回収軸に回転駆動されるファンと、
を備える、少なくとも１つのターボシャフトエンジンからの排気ガスからのエネルギ回収システムに関する。
【００１４】
したがって、本発明によるシステムは、少なくとも１つのターボシャフトエンジンからの排気ガスからエネルギの少なくとも一部を回収することを可能にし、これは、従来技術とは異なり、オフセットして実施される。これは、この場合は、ターボシャフトエンジンの排気管に熱交換器が位置する従来技術よりもより良好な条件で、熱交換器によって熱交換を実施するために、排気ガスの一部がブリードオフされるからである。排気ガスをブリードオフすることができるタービンは、排気ガスの圧力を下げることもでき、したがって、排気ガスの温度を下げることができる。したがって、熱交換器はより低い圧力およびより低い温度を受けて、より優れた熱交換効率を有する材料の使用が可能になる。同様に、タービンと圧縮機との間を循環するガスの圧力が低く、大気圧より低いことは、一般にこれらのガスによるエネルギ回収システムの構成要素への内部応力を制限する。
【００１５】
好ましくは、主に高温ガスを取り除くことによって良好なレベルの効率を維持するために、エネルギ回収システムは排気ガスのすべてをブリードオフはせず、ブリードオフされる排気ガスの割合は、排気ガスを排出することができるターボシャフトエンジンの排気管の空気力学に依存する。ブリードオフは、排気管の屈曲部で有利に実施されることができる。たとえば、この種の屈曲部は、一般にヘリコプタに取り付けられたターボシャフトエンジンの排気管内に存在する。
【００１６】
排気ガスから回収されるエネルギは、排気ガスがタービンを通過して回収軸に送られるときに発生する機械的エネルギと、第１の熱交換器によって冷却された排気ガスを圧縮するために圧縮機を回転駆動するために、回収軸によって消費されるエネルギとの間の差から生じる。交換器に冷熱源を送るのに必要とされるエネルギは、必要に応じて、この回収エネルギから取られてもよい。したがって、回収エネルギは、回収軸によって伝達される機械的エネルギの形で使用されることができる。回収軸は、さらに、たとえば、リレーボックスを介して他の軸に連結されて、これらの他の軸にさらなる機械的エネルギを供給する。回収軸で回収されるエネルギを使用可能な軸は、たとえば、ターボシャフトエンジンのフリータービンの軸、ターボシャフトエンジンのガス発生器の軸、ヘリコプタのメイン・トランスミッション・ボックスの軸、ヘリコプタのテールロータに連結された後軸などである。回収軸で回収されるこのエネルギは、機械的エネルギの形であるが、続いて別の（電気的、空気的などの）形に変換されることができる。
【００１７】
さらに、排気ガスのブリードオフ部分は、ターボシャフトエンジン内に圧力損失を生じさせない。ターボシャフトエンジンの排気管に交換器が位置した従来技術とは異なり、タービンによる排気ガスのブリードは、ターボシャフトエンジンの通常動作を阻害せず、したがって、圧力損失を制限する。加えて、エネルギ回収システムのいかなる故障も、ターボシャフトエンジンの動作に影響を及ぼすことはなく、その排気ガスのすべてが排気管を通って排出される。さらに、エネルギ回収システムは、このようにして既存のターボシャフトエンジンに適合され、これが設置されているターボシャフトエンジンの動作点のいかなる変更も必要とせず、したがって、その性能に影響を及ぼさない。
【００１８】
有利には、本発明によるシステムは、第１の熱交換器に入る前に膨張ガスの予備冷却を実施するように適合された第２の熱交換器を備える。
【００１９】
本発明のこの態様によれば、第２の交換器により、第１の熱交換器に入る前に排気ガスの温度を下げることができるようになって、第１の熱交換器の温度制約のさらなる軽減が可能になり、したがって、第１の熱交換器は、より効率的な材料および縮小されたサイズによって、高い熱交換性能を可能にするように設計されることができる。有利には、かつ本発明によれば、第１の交換器に使用される材料はアルミニウムであり、軽減した重量（約２７００ｋｇ／ｍ３の密度）に対する良好な熱交換性能（約１５０Ｗ／ｍ／℃の熱伝導率）間の良好な妥協が可能になる。
【００２０】
有利には、本発明によるシステムは、第１の熱交換器に入る前に膨張ガスの予備冷却を実施するように適合された外気取入口を備える。
【００２１】
本発明のこの態様によれば、空気取入口により、膨張ガスが、その温度を下げるために、外部からの空気と混合することができるようになる。空気取入口を通した外気の注入は、膨張ガスが外気の大気圧より低い圧力であることによって容易になる。このようにして冷却されたガスは、第１の交換器に送られる。空気取入口は、前述の第２の交換器に取って代わるか、またはこれを補うことができる。
【００２２】
有利には、本発明によるシステムは、複数のターボシャフトエンジンから発生する排気ガスをブリードオフするために、タービンを複数の排気管に連結する複数のダクトを備える。
【００２３】
本発明のこの態様によれば、単一のエネルギ回収システムは、複数のターボシャフトエンジンから発生する排気ガスのエネルギの一部の回収を可能にする。
【００２４】
本発明はまた、本発明によるエネルギ回収システムを装備したターボシャフトエンジンに関する。
【００２５】
本発明によるターボシャフトエンジンは、エネルギ回収システムによる、排気ガスに含まれる熱の形のポテンシャルエネルギの一部の回収によって、より優れた動作の全体効率を可能にする。
【００２６】
有利には、本発明によるターボシャフトエンジンは、ガス発生器軸に回転駆動されるガス発生器をさらに備え、回収軸がガス発生器軸に連結されている。
【００２７】
本発明のこの態様によれば、エネルギ回収システムによって回収された機械的エネルギは、ガス発生器軸で使用され、それによってターボシャフトエンジンの性能を向上させる。エネルギ回収システムの故障の場合に、ガス発生器は正常に動作することができ、唯一の結果は、ターボシャフトエンジンの性能が低下することである。
【００２８】
有利には、本発明によるターボシャフトエンジンは、フリータービン軸を回転駆動するフリータービンをさらに備え、回収軸がフリータービン軸に連結されている。
【００２９】
本発明のこの態様によれば、エネルギ回収システムによって回収された機械的エネルギは、たとえばプロペラの回転を駆動するよう意図された、フリータービン軸で使用され、それによってターボシャフトエンジンの性能を向上させる。エネルギ回収システムの故障の場合に、ガス発生器は正常に動作することができ、唯一の結果は、ターボシャフトエンジンの性能が低下することである。
【００３０】
本発明はまた、本発明によるターボシャフトエンジンを備えるヘリコプタに関する。
【００３１】
有利には、かつ本発明によれば、ヘリコプタは後軸に駆動されるテールロータをさらに備え、回収軸が前記後軸に連結されている。
【００３２】
本発明はまた、
排気ガスの少なくとも一部をブリードオフするステップと、
ブリードオフステップでブリードオフされた排気ガスを膨張させるステップと、
膨張ステップで膨張された排気ガスを冷却するステップと、
冷却ステップで冷却された排気ガスを圧縮するステップと、
を有する、ターボシャフトエンジン排気ガスからのエネルギ回収方法に関する。
【００３３】
有利には、本発明によるエネルギ回収方法は、本発明によるエネルギ回収システムによって実施される。
【００３４】
有利には、本発明によるエネルギ回収システムは、本発明によるエネルギ回収方法を実施する。
【００３５】
本発明はまた、上記または下記の特徴の全部または一部による組み合わせを特徴とする、エネルギ回収システム、エネルギ回収方法、ターボシャフトエンジン、およびヘリコプタに関する。
【００３６】
本発明の他の目的、特徴、および利点は、全く非限定的に与えられ、添付の図面を参照する、以下の説明を読めば明らかになるであろう。
【図面の簡単な説明】
【００３７】
【図１】本発明の実施形態によるエネルギ回収システムを装備したターボシャフトエンジンの概略図である。
【図２】本発明の第１の実施形態によるエネルギ回収システムの概略図である。
【図３】本発明の第２の実施形態によるエネルギ回収システムの概略図である。
【図４】本発明の実施形態によるエネルギ回収方法の概略表示である。
【図５】本発明の実施形態によるターボシャフトエンジンを備えるヘリコプタの概略図である。
【発明を実施するための形態】
【００３８】
以下の実施形態は例である。説明は１つまたは複数の実施形態について言及するが、これは、必ずしも各言及が同一の実施形態に関連すること、あるいは、特徴が単一の実施形態だけに適用することを意味するものではない。異なる実施形態の個々の特徴は、他の実施形態を提供するために組み合わせることもできる。
【００３９】
図１は、本発明の実施形態によるエネルギ回収システム１２を装備したターボシャフトエンジン１０の概略表示である。
【００４０】
エネルギ回収システム１２は、排気ガス１６から発生する熱エネルギの一部を回収するために、ターボシャフトエンジン１０の排気ガスの少なくとも一部１４を回収するように適合される。これらの排気ガス１６は、入口ダクトを通ってターボシャフトエンジン１０に入り、次いで、ターボシャフトエンジン１０の出口にあるフリータービン２０の回転を駆動するために、ターボシャフトエンジン１０内で燃料と混合して燃焼される、ガス１８によって形成される。既燃ガスの運動エネルギの大部分は、固定して回転させたフリータービン２０によって回収され、残留運動エネルギは、このフリータービン２０の出口において、排気ガス１６を排出することができる。排気ガス１６は、航空機内のターボシャフトエンジン１０を使用する状況では、航空機の外部の外気に排気ガス１６を排出することができる排気管２２を通って排出される。
【００４１】
エネルギ回収システム１２は、たとえば、ターボシャフトエンジン１０の排気管２２に連結されたブリードダクト２４を用いて、矢印１４で表されるこれらの排気ガスの一部をブリードオフすることができる。排気ガスの一部１４のブリードオフは、ブリードオフされた排気ガスを膨張させることができるタービンのおかげで実施されて、ブリードダクト２４を通して排気管内の排気ガスの一部１４を吸い出すことを可能にする。本発明の別の実施形態によれば、エネルギ回収システム１２は、複数のターボシャフトエンジンから発生する排気ガスの一部をブリードオフするために、複数の排気管に連結された複数のブリードダクトを備える。
【００４２】
エネルギ回収システム１２は、外気２８の給気用ダクト２６をも備えて、エネルギ回収システム１２内に存在する熱交換器を用いて、タービンによってブリードオフされたガスを冷却することを可能にする。いったん排気ガスの一部１４からのエネルギが回収されると、出口ガス３０は排出ダクト３２を通って排出される。この排出ダクト３２は、熱交換器に入った後に外気２８を排出するために使用することもできる。
【００４３】
図２は、第１の実施形態によるエネルギ回収システム１２の概略表示である。この第１の実施形態では、タービン３４、圧縮機３６、およびファン３８が、回収軸４０に連結されている。タービン３４は、排気管１０から排気ガスの一部１４をブリードオフし、これらの排気ガスを膨張させ、したがって、これらの温度を下げ、それによって、矢印４２で表される膨張ガスを形成することができる。タービン３４による膨張から生じた膨張ガス４２の圧力は、大気圧より小さい。膨張ガス４２は、冷却されるために第１の熱交換器４４を通過し、したがって、矢印４６で表される冷却ガスを形成する。膨張ガス４２の冷却は、この場合は、回収軸４０によって回転駆動され、外気２８を加えることを可能にするファン３８により、第１の熱交換器４４に送られる冷熱源４５のおかげで、第１の熱交換器４４で実施される。
【００４４】
第１の熱交換器４４によって冷却されたガス４６は、回収軸４０に連結された圧縮機３６に送られる。圧縮機は、図１を参照して既に示したように、たとえば排出ダクト３２を通して排出される出口ガス３０として知られている、大気圧に実質的に等しい圧力のガスを得るために、冷却ガス４６を圧縮する。排出ダクトは、第１の熱交換器４４に入った後に冷熱源４５を排出することも可能にする。冷熱源４５および出口ガス３０の排出は、矢印４８で表される。
【００４５】
エネルギ回収システム１２によって回収されたエネルギは、回収軸４０によって伝達される機械的エネルギの形で使用されることができる。この回収された機械的エネルギは、排気ガスの一部１４の通過のためにタービン３４の回転によって回収軸４０に送られる機械的エネルギと、回収軸４０から発生し、冷却ガス４６を大気圧に実質的に等しい圧力まで圧縮するために圧縮機３６によって消費される、機械的エネルギとの間の差から生じる。第１の熱交換器４４によって膨張ガスを冷却することにより、膨張ガスの温度を下げることが可能になり、したがって、冷却ガスを大気圧まで圧縮するために圧縮機３６が必要とするエネルギを減少させることが可能になる。したがって、回収されるエネルギの量は、第１の熱交換器４４による冷却の効率に依存する。ファン３８によって消費されるエネルギも、回収エネルギから取られなければならない。回収軸４０における回収エネルギは、次いで、たとえば、リレーボックスを用いて航空機の他の軸に伝達され、あるいは、別のエネルギ形態に変換されることができる。
【００４６】
特定の状況では、タービンの出口で、かつ第１の熱交換器４４に入るときに、膨張ガス４２の温度は高いままである。その結果、こうした高温はターボシャフトエンジン１０の排気管２２内で発生する温度よりも低いが、第１の熱交換器４４の寸法および材料はこうした高温と相性がよくなければならない。
【００４７】
より効率的な第１の熱交換器４４の使用を可能にするために、１つの解決方法は、膨張ガス４２の温度を事前に下げることである。これを行うため、図３を参照して示すように、エネルギ回収システム１２は、第１の熱交換器４０に入る前に膨張ガス４２を冷却することができる第２の熱交換器５０を備える。図３において、図２に示す実施形態と比べて変わってない要素は、同じ参照符号を有する。第２の熱交換器５０での予備冷却は、たとえば、圧縮機を出る出口ガス３０と、第１の熱交換器４４に入った後の冷熱源４５とからなる、第２の冷熱源５２を使用して実施される。このように、第２の熱交換器５０によるこの予備冷却のおかげで、第１の熱交換器に入るガス５３の温度はより低い。したがって、第１の熱交換器４４は、より適切な温度限界を有し、より効率的な冷却および／またはより小さい寸法および重量を可能にする材料で作ることができる。
【００４８】
たとえば、鋼鉄などの高温に耐性がある材料は、約１５Ｗ／ｍ／℃の熱伝導率および約７８００ｋｇ／ｍ３の密度を有する。したがって、第２の熱交換器５０は、たとえば鋼鉄で作ることができる。アルミニウムは、高温に対する耐性がより低いが、約１５０Ｗ／ｍ／℃の高い熱伝導率および約２７００ｋｇ／ｍ３の密度を有する。したがって、第１の熱交換器４４は、たとえば、軽量化のために、これを通過するガス５３のより効率的な冷却を可能にするアルミニウムで作ることができる。
【００４９】
温度およびサイズ決定に対する制約、ならびに排気ガスの少なくとも一部がブリードオフされるターボシャフトエンジンによって異なってよい所望の性能に応じて、また１つまたは２つの交換器を有する実施形態に従って、他の種類の金属または合金を第１の熱交換器４４および第２の熱交換器５０の製造のために使用することができる。熱交換器および／またはこうした熱交換器に使用される材料は、航空機への適用のためにあらかじめテストされていることが好ましい。たとえば、エネルギ回収システムは、航空使用のためにあらかじめテストされた、航空機の客室空気調和システムに使用されるタイプの熱交換器を使用することができる。
【００５０】
第１の熱交換器４４に入る前の予備冷却は、この実施形態では、第１の熱交換器４４に向かうガスに外気を注入することができる空気取入口５１の使用によっても実施される。ガスと外気との混合は、このように、温度の低下を可能にする。外気の注入は、エネルギ回収システム１２内に存在するガスが大気圧よりも低い圧力であることによって、さらに容易になる。
【００５１】
実施形態に応じて、エネルギ回収システム１２は、第１の熱交換器４４のみ、あるいは、第２の熱交換器５０を伴う、または空気取入口５１を伴う、または第２の熱交換器５０と空気取入口５１との組み合わせを伴う、第１の熱交換器４４を備えてよい。
【００５２】
図４は、本発明の実施形態によるエネルギ回収方法５４の概略表示である。エネルギ回収方法５４は、図１を参照して説明したように、ブリードガスとして知られている、ターボシャフトエンジンから発生する排気ガスの少なくとも一部をブリードオフするステップ５５を有する。次いで、ブリードガスを膨張させるステップ５６で、たとえば、前述のように、エネルギ回収システム１２内のタービン３４によって、ブリードガスが膨張される。この膨張ステップ５６は、圧力の低下によりブリードガスの温度よりも低い温度の膨張ガスの形成を可能にする。次いで、膨張ガスは冷却ステップ５８の間に冷却されて、冷却ガスを形成する。次いで、これらの冷却ガスは圧縮ステップ６０の間に圧縮される。
【００５３】
このようにして実施されるエネルギ回収方法５４は、圧力低下を伴う逆ブレイトンサイクルである熱力学サイクルに従う。このサイクルによって回収される機械的エネルギは、ブリードオフされた排気ガスに含まれる熱エネルギから発生する。
【００５４】
図５は、本発明の実施形態によるターボシャフトエンジン１０を備えるヘリコプタ６１の概略表示である。ターボシャフトエンジンは、本発明の実施形態によるエネルギ回収システム１２を装備する。この実施形態では、エネルギ回収システム１２は、ヘリコプタ６１の後軸６２に連結されている。この後軸６２は、ヘリコプタ６１のテールロータ６４を固定して回転させることができ、具体的には、メイン・トランスミッション・ボックスを介してターボシャフトエンジン１０に駆動されるメインロータ６６によって及ぼされるトルクを補償することによって、ヘリコプタを安定化させることを可能にする。エネルギ回収システム１２によって回収された機械的エネルギは、このように、回収軸４０によってヘリコプタ６１の後軸６２に伝達される。
【００５５】
エネルギ回収システム１２の始動には、たとえば、ヘリコプタの後軸６２を介して外部エネルギ源を加えることにより、タービン３４および圧縮機３６に連結された回収軸４０を事前に回転状態にさせることが必要である。したがって、始動の間、エネルギ回収システム１２はエネルギ受信機である。いったん動作点に達すると、エネルギ回収システム１２は、平衡状態に達して、機械的エネルギの回収を可能にする排気ガスの少なくとも一部のブリードオフのおかげで原動力となる。
【００５６】
本発明は、説明した実施形態のみに限定されない。具体的には、１つまたは複数の交換器で使用される冷熱源は、たとえば電動ファンまたはポンプなどを介した給気など、異なる形態を取ることができる。加えて、システムによって生成された機械的エネルギは、たとえば、ヘリコプタのメイン・トランスミッション・ボックスで、あるいは、空気エネルギ、電気エネルギなどに変換することにより、異なる形態で再利用されることができる。さらに、エネルギ回収システムは、３つ以上の交換器を備えることができる。
【図１】
0006637510.tif 000002
【図２】
0006637510.tif 000003
【図３】
0006637510.tif 000004
【図４】
0006637510.tif 000005
【図５】
0006637510.tif 000006